(57)【要約】      （修正有）【課題】取り出し易く、適宜な長さがあり携帯に便利な付箋紙座を提供する。【解決手段】付箋紙座は、座体と、メジャー２と、該座体内部に設ける取り出し式の付箋紙３とを含んでなる。座体は長方形で内側には設置空間１０が設けられ、且つ下方には開口が設けられる。該開口は外周端縁部が階段状に形成され、該階段状の上方端縁部に複数の対応する接続部１１が適宜に設けられる。また、座体の円弧面上には設置空間１０に対応して長方形の溝が貫通して設けられる。該取り出し式の付箋紙３は、長方形を呈し、複数の紙が一枚一枚粘着して形成される付箋紙が上下に積み重ねられ、且つ前後の部分が異なる位置になるように交互に部分的に互いに粘着するように重ねられ一体に形成される。また、付箋紙３は座体の設置空間１０内に設けられ、且つフィルム４が設置空間１０の開口外周端縁部の複数の接続部１１と階段状の間の隙間に穿設し、抜け落ちることを防ぐ。【選択図】図１
0003158761.tif 000002
【実用新案登録請求の範囲】
【請求項１】
座体と、メジャーとを含んでなり、
該座体が、中空で設置空間を具えてなり、内部に取り出し式の付箋紙を設けるとともに、長方形の溝を具えて付箋紙を取り出す経路として供することを特徴とする付箋紙座。
【請求項２】
前記設置空間が、開口を具えてなり、且つ外周端縁部に複数の接続部を具えてなり、さらにフィルムを設けて閉じてなることを特徴とする請求項１に記載の付箋紙座。
【請求項３】
前記座体の設置空間内に一以上の隔絶フィルムを設けて、複数の隔絶空間を形成するために供し、複数の付箋紙を設けることができる構造からなることを特徴とする請求項１に記載の付箋紙座。
【請求項４】
前記座体が、一、或いは一以上の長方形の溝を設けてなり、且つ対応する設置空間に貫通し、複数の取り出し式の付箋紙を取り出す経路を供することを特徴とする請求項１に記載の付箋紙座。
【考案の詳細な説明】
【技術分野】
【０００１】
この考案は、付箋紙座に関し、特にメモを書いて着脱自在の付箋紙を設ける付箋紙を設ける付箋紙座に関する。
【背景技術】
【０００２】
通常、文書作業で標示分け、標記、生地、伝言などにしようする付箋紙は、書く、印刷する、標記するなどの機能を提供し、使用者が見るためにいつでもどこでも便利な好みの場所に貼り付けて、忘れることがないようにすることができて非常に便利である。
【０００３】
また、付箋紙は異なる形状やサイズ、色などに形成して使用上人の目を引き寄せる視覚的な効果を具えてなる。
【０００４】
上述の付箋紙は殆どが一枚の紙か、或いは座の上に設けられて形成される。
【０００５】
一般に、室内の文書作業では多種多様な付箋紙が必要である。
【０００６】
このため、異なる用途、形態の付箋紙を均一に準備しておかなければならない。
【０００７】
しかしながら、使用者が様々な付箋紙を卓上などに設けておくのが難しく、使用上乱雑で、便利さが損なわれる。
【考案の開示】
【考案が解決しようとする課題】
【０００８】
この考案は、取り出し易く、適宜な長さがあり携帯に便利な付箋紙座を提供することを課題とする。
【課題を解決するための手段】
【０００９】
そこで、本考案者は従来の技術に見られる欠点に鑑みて鋭意研究を重ねた結果、座体と、メジャーとを含んでなり、
該座体が、中空で設置空間を具えてなり、内部に取り出し式の付箋紙を設けるとともに、長方形の溝を具えて付箋紙を取り出す経路として供する付箋紙座によって課題を解決できる点に着眼し、かかる知見に基づいて本考案を完成させた。
【００１０】
以下、この考案について具体的に説明する。
請求項１に記載の付箋紙座は、座体と、メジャーとを含んでなり、
該座体が、中空で設置空間を具えてなり、内部に取り出し式の付箋紙を設けるとともに、長方形の溝を具えて付箋紙を取り出す経路として供する。
【００１１】
請求項２に記載の付箋紙座は、請求項１における設置空間が、開口を具えてなり、且つ外周端縁部に複数の接続部を具えてなり、さらにフィルムを設けて閉じてなる。    
【００１２】
請求項３に記載の付箋紙座は、請求項１における座体の設置空間内に一以上の隔絶フィルムを設けて、複数の隔絶空間を形成するために供し、複数の付箋紙を設けることができる構造からなる。
【００１３】
請求項４に記載の付箋紙座は、請求項１における座体が、一、或いは一以上の長方形の溝を設けてなり、且つ対応する設置空間に貫通し、複数の取り出し式の付箋紙を取り出す経路を供する。
【考案の効果】
【００１４】
この考案による付箋紙座は、実用的で、携帯にも便利であるという効果を有する。
【図面の簡単な説明】
【００１５】
【図１】この考案の付箋紙座の底面を示した分解図である。
【図２】この考案の付箋紙座を示した斜視図である。
【図３】この考案の付箋紙座の底面の他の実施形態を示した分解図である。
【図４】この考案の付箋紙座の他の実施形態を示した斜視図である。
【図５】この考案の付箋紙座の底面のその他の実施形態を示した分解図である。
【図６】この考案の付箋紙座のその他の実施形態を組み合わせた状態を示した斜視図である。
【図７】この考案の付箋紙座のその他の実施形態を示した斜視図である。
【考案を実施するための形態】
【００１６】
この考案は取り出し易く、適宜な長さがあり携帯に便利な付箋紙座であって、座体と、メジャーとを含んでなり、
該座体が、中空で設置空間を具えてなり、内部に取り出し式の付箋紙を設けるとともに、長方形の溝を具えて付箋紙を取り出す経路として供する付箋紙座の構造と特徴を詳述するために具体的な実施例を挙げ、図示を参照にして以下に説明する。
【実施例】
【００１７】
図１、図２は、この考案の付箋紙座を示したものである。
【００１８】
図面によれば、該付箋紙座は、座体１と、メジャー２と、該座体１内部に設ける取り出し式の付箋紙３とを含んでなる。
【００１９】
該座体１は、長方形で長手方向両端が円弧面に装飾される。座体１の内側には設置空間１０が設けられ、且つ下方には開口が設けられる。
【００２０】
該開口は外周端縁部が階段状に形成され、該階段状の上方端縁部に複数の対応する接続部１１が適宜に設けられる。また、座体１の円弧面上には設置空間１０に対応して長方形の溝１２が貫通して設けられる。
【００２１】
該メジャー２は好みの形状に形成することができ、この実施形態では度量衡器用の長方形に形成され、メジャー２の表面には接続面２０が設けられ、上述の座体１が接続面２０から上方に突出して設けられる。
【００２２】
該メジャー２は長手方向の一側面にめもり２１が刻まれるか、或いは長手方向両側上にそれぞれ異なるめもり２１が設けられて、異なる度量を測ることができる。
【００２３】
該取り出し式の付箋紙３は、長方形を呈し、複数の紙が一枚一枚粘着して形成される付箋紙が上下に積み重ねられ、且つ前後の部分が異なる位置になるように交互に部分的に互いに粘着するように重ねられ一体に形成される。
【００２４】
よって、最も上の付箋紙を取り出す場合に、自動的にその下の一枚も引っ張られる。
【００２５】
また、付箋紙３は座体１の設置空間１０内に設けられ、且つフィルム４が設置空間１０の開口外周端縁部の複数の接続部１１と階段状の間の隙間に穿設し、抜け落ちることを防ぐとともに、充填した取り出し式の付箋紙３が抜け落ちることを防ぐことができる。
【００２６】
さらに、最も上方の付箋紙が座体１の表面の長方形の溝１２の外部に突出しているため、使用者が取り出して使用するために便利である。
【００２７】
図３、図４は、この考案の他の実施形態を示したものである。
【００２８】
図面によれば、付箋紙座は、座体１の設置空間１０内に複数の隔絶フィルム１３を一体に形成し、これにより一以上の隔絶空間１４を具えてなる。
【００２９】
よって、該隔絶空間１４に前述とは異なる形態の一以上の付箋紙３を充填することができる。
【００３０】
該座体１は、表面に一以上の対応する長方形の溝１２を設けているため、付箋紙３を取り出すための経路に供することができる。
【００３１】
図５から図７は、この考案のその他の実施形態の大幅にサイズを拡大した座体とメジャー２の分解図と組み合わせ図とを示したものである。
【００３２】
図５に開示するように、座体１は、内部に一以上の設置空間１０を設けてなる。
【００３３】
それぞれの設置空間内１０内には縦方向、横方向の隔絶板１３で区分けされ複数の大小様々なサイズの隔絶空間１４を形成して異なるサイズの付箋紙３を設けるために供する。
【００３４】
また、同様にフィルム４でそれぞれの設置空間１０の開口外周縁に形成された複数の接続部１１と、階段状の間の隙間に穿設して抜け落ちることを図６に開示するように防ぐことができる
【００３５】
それぞれの隔絶空間１４はいずれも長方形の溝１２に対応して設けられ、付箋紙３の最も上方の紙が溝１２の外側に突出して設けられ、図７に開示するように使用者が選択して取り出すために供する。
【００３６】
上述のように、この考案の付箋紙座は、付箋紙の充填や操作上、簡単、便利で、且つ異なるサイズの付箋紙３を複数設けることができる。
【００３７】
よって、使用上の選択が増え、便利であるとともに、何度も購入するというコストを抑えることができ、使用時期を比較的長くすることができる。
【００３８】
この考案の付箋紙座は異なるめもりを具えたメジャー２を接続して設けるため、新穎的で非常に実用的である。
【００３９】
めもりつきのメジャー２と組み合わせる場合、付箋紙座が突出するため、平面に設けたときに位置を移動するために便利で、移動の操作上も便利である。
【００４０】
さらに、メジャー２として測ることもできて一石二鳥である。
【００４１】
この考案の付箋紙３は異なる色でエリアを色分けして分類、標記の目的と効果を達成することができる。
【００４２】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【符号の説明】
【００４３】
１      座体
１０    設置空間
１１    接続部
１２    溝
１３    隔絶フィルム
１４    隔絶空間
２      メジャー
２０    接続面
２１    めもり
３      付箋紙
４      フィルム
【図１】
0003158761.tif 000003
【図２】
0003158761.tif 000004
【図３】
0003158761.tif 000005
【図４】
0003158761.tif 000006
【図５】
0003158761.tif 000007
【図６】
0003158761.tif 000008
【図７】
0003158761.tif 000009